(57)【要約】【課題】注ぎ口における液体の切れが良好で注出後に液だれし難い液体注出用器具を提供する。【解決手段】本考案の液体注出用器具１は、液体注出用器具１は、図１に示すように、注出器具本体２と、注出器具本体２の上部開口３に配された蓋体４と、注出器具本体２内と連通し先端部５に注ぎ口６を備えた注出管７とを有し、注出管７は、基端側から斜め上方に延出し先端部５が斜め下方に延出すると共に、側面視で注出管７の注ぎ口６を構成する周縁部８と水平方向が形成する角度αが４０〜５５°の範囲内となるように周縁部８が構成されている。【選択図】図３
0003187840.tif 000002
【実用新案登録請求の範囲】
【請求項１】
注出器具本体と、該注出器具本体の上部開口に配された蓋体と、前記注出器具本体内と連通し先端部に注ぎ口を備えた注出管とを有し、該注出管は、基端側から斜め上方に延出し前記先端部が斜め下方に延出すると共に、側面視で前記注出管の注ぎ口を構成する周縁部と水平方向が形成する角度が４０〜５５°の範囲内となるように前記周縁部が構成されていることを特徴とする液体注出用器具である。
【請求項２】
前記注出管の注ぎ口を構成する前記周縁部と水平方向が形成する角度が４７〜５３°の範囲内となるように前記周縁部が構成されている請求項１に記載の液体注出用器具。
【請求項３】
前記注出管の注ぎ口を構成する周縁部と水平方向が形成する角度が５０°となるように前記周縁部が構成されている請求項２に記載の液体注出用器具。
【請求項４】
前記注出管の内径は、基端側から前記注ぎ口に向かって徐々に小さくなるように形成されている請求項１ないし３のいずれかに記載の液体注出用器具。
【考案の詳細な説明】
【技術分野】
【０００１】
本考案は、日本茶を注出する急須、紅茶を注出するティーポット、醤油を注出する醤油差しなどの液体注出用器具に関する。
【背景技術】
【０００２】
従来より、日本茶、紅茶、コーヒーなどの飲み物や醤油などを注出する器具として、種々の液体注出用器具が使用されている。例えば、そのようなものとして日本茶を注出する急須があるが、日本茶を注出した後、急須本体内に連通する注出管の注ぎ口下側付近に液だれが生じて注出管やテーブル上面を汚すという問題があった。
【０００３】
この問題を解決するものとして、液体を貯蔵する貯蔵部と、貯蔵部の液面より高い位置に流出口を有して貯蔵部に連結された流路を有し、貯蔵部を傾けることによって流路の流出口から液体を供給する液体供給器において、流路の流出口に近接して孔を設けた液体供給器が提案されている（特願２０００−２３８４８号公報）。
【先行技術文献】
【特許文献】
【０００４】
【特許文献１】特願２０００−２３８４８号公報
【考案の概要】
【考案が解決しようとする課題】
【０００５】
本願発明者は上記従来技術とは異なる構成により上記課題を解決したものであり、すなわち、本考案の課題は、注ぎ口における液体の切れが良好で注出後に液だれが発生しにくい液体注出用器具を提供することにある。
【課題を解決するための手段】
【０００６】
上記課題を解決するものは、注出器具本体と、該注出器具本体の上部開口に配された蓋体と、前記注出器具本体内と連通し先端部に注ぎ口を備えた注出管とを有し、該注出管は、基端側から斜め上方に延出し前記先端部が斜め下方に延出していると共に、側面視で前記注出管の注ぎ口を構成する周縁部と水平方向が形成する角度が４０〜５５°の範囲内となるように前記周縁部が構成されていることを特徴とする液体注出用器具である。
【０００７】
前記注出管の注ぎ口を構成する前記周縁部と水平方向が形成する角度が４７〜５３°の範囲内となるように前記周縁部が構成されていることが好ましい。前記注出管の注ぎ口を構成する前記周縁部と水平方向が形成する角度が５０°となるように前記周縁部が構成されていることがより好ましい。前記注出管の内径は、基端側から前記注ぎ口に向かって徐々に小さくなるように形成されている。
【考案の効果】
【０００８】
請求項１の考案によれば、注ぎ口における液体の切れが良好で注出後に液だれが発生し難い液体注出用器具が構成できる。
請求項２の考案によれば、注ぎ口における液体の切れが良好で注出後に液だれし難く、周縁部が欠けることを防止した液体注出用器具が構成される。
請求項３の考案によれば、注出後の液だれ防止と周縁部の欠落防止の両観点から最も適した液体注出用器具が構成される。
請求項４の考案によれば、注ぎ口における液体の切れが良好で注出後にさらに液だれし難い液体注出用器具が構成される。
【図面の簡単な説明】
【０００９】
【図１】本考案の液体注出用器具の一実施例の右側面図である。
【図２】本考案の液体注出用器具の一実施例の平面図である。
【図３】図２のＡ−Ａ線断面図である。
【考案を実施するための形態】
【００１０】
本考案では、注出管７は、基端側から斜め上方に延出し先端部５が斜め下方に延出すると共に、側面視で注出管７の注ぎ口６を構成する周縁部８と水平方向が形成する角度が４０〜５５°の範囲内となるように周縁部８が構成されていることで、注ぎ口６における液体の切れが良好で注出後に液だれしにくい液体注出用器具１を実現した。
【実施例１】
【００１１】
本考案の液体注出用器具を図１ないし図３に示した一実施例を用いて説明する。
この実施例の液体注出用器具１は急須であり、図１に示すように、注出器具本体２と、注出器具本体２の上部開口３に配された蓋体４と、注出器具本体２内と連通し先端部５に注ぎ口６を備えた注出管７と、注出器具本体２の内部に装着された茶漉し器９とを有し、注出管７は基端側から斜め上方に延出し先端部５が斜め下方に延出すると共に、側面視で注出管７の注ぎ口６を構成する周縁部８と水平方向が形成する角度が５０°となるように周縁部８が構成されている。以下、各構成について順次詳述する。
【００１２】
注出器具本体２は、上部開口３から内部に茶葉を入れてお湯を注ぎ、お茶を貯える部位であり、図１または図３に示すように、側部に注出管７と把手部１２を備えた有底容器にて構成されている。この注出部７の先端部５には注ぎ口６が形成されており、上部開口３は、蓋体４を載置するための環状の蓋受け用フランジ３ａを有している。
【００１３】
なお、この実施例の液体注出用器具１は日本茶を飲用する急須であるが、本発明の液体注出用器具はこれに限定されるものではなく、紅茶やコーヒーなどを飲用するポットや醤油などの調味料を注出する器具（醤油差し）など広く液体を注出する器具を包含するものである。
【００１４】
蓋体４は、注出器具本体２の上部開口３（蓋受け用フランジ３ａ）に載置されるものであり、図２に示すように、蓋体４を把持するための摘み４ａと空気や湯気を流通させるための通気孔４ｂを有している。
【００１５】
注出管７は、図３に示すように、注出器具本体２内と連通しており、注出器具本体２内のお茶を外部に注出するための部位であり、先端部５に注ぎ口６を備えている。
【００１６】
注出管７は、基端側から斜め上方に延出した後、先端部５が斜め下方に延出しており、側面視で略逆さＶ字型に構成されている。これにより、注出後、注出管７の傾斜状態を初期状態に戻す際に基端側へ液体（お茶）が戻り易く先端部５へ流れる液体が少なくなって切れがよくなることで液だれが抑制される。
【００１７】
また、液体注出用器具１は、図３に示すように、側面視で注出管７の注ぎ口６を構成する周縁部８と水平方向が形成する角度α（図３において、Ｂ線およびＣ線が水平方向を示す線であり、これらの線と側面視で注出管７の注ぎ口６を構成する周縁部８の端面が交差する角度）が、５０°となるように周縁部８が構成されている。この角度が、注ぎ口６における液体の切れが良好で注出後に液だれし難く、周縁部８が欠けることも防止できるからである。
【００１８】
本考案の液体注出用器具における上記角度αは５０°に限定されるものではなく、側面視で注出管７の注ぎ口６を構成する周縁部８と水平方向が形成する角度αが４０〜５５°の範囲内となるように周縁部８が構成されているものを包含する。角度αが４０〜５５°の範囲内であると、液だれする液体が残存する先端部５の容積、または液だれする液体が付着する先端部５の構成部分が小さくなると共に先端部に残存する液体が基端側へ戻り易くなり、先端部５内の液体（お茶）が周縁部８の下部Ｐ付近に集中して移行し液だれを発生させることが抑制されるからである。
【００１９】
なお、角度αが４０°より小さくなると、形成角度αが鋭角になり過ぎて注ぎ口６が形成不能となり、また形成できたとしても周縁部の下部Ｐ付近が欠け易くなるからである。他方、角度αが５５°を越えると、先端部５内の液体（お茶）が周縁部８の下部Ｐ付近に集中的に移行して液だれを発生させるからである。
【００２０】
特に、上記注出管７の注ぎ口６を構成する周縁部８と水平方向が形成する角度αは、４７〜５３°の範囲内となるように周縁部８が構成されていることが好ましい。この範囲内が、注ぎ口６における液体の切れが良好で注出後に液だれし難く、かつ、周縁部が欠けることをより防止できるからである。
【００２１】
さらに、注出管７の内径は、基端側から注ぎ口６に向かって徐々に小さくなるように形成されている。これにより、注出後、液だれの原因となる先端部５に残存する液体（お茶）の量がより少量になるため、注ぎ口６における液体の切れが良好で注出後に最も液だれし難い液体注出用器具が構成される。
【００２２】
茶漉し器９は、茶葉が外方に流出しないように内部に捕捉するための濾過器であり、網体１０と網体１０の上端に固定されたフランジ１１とから構成されている。網本１０は、７０〜１２０メッシュ（網目の数／inch）の金属製網にて有底筒状体に形成されている。より好ましくは７５〜８５メッシュの金属製網にて形成されていることであり、この実施例では８０メッシュのステンレス製網にて形成されている。これにより、深蒸し茶のような粉状の茶葉でも茶漉し器９の外方に流出させることなく、深蒸し茶本来の旨味や甘みのみを茶漉し器９の外方に流出させることができる。
【００２３】
網体１０の外形は、図３に示すように、注出器具本体２の内底面に沿って配することができるように、注出器具本体２の内底面が構成する形態より若干小さい形態に略形成されている。これにより、網体１０の容積をより大きく構成することができ、茶葉が網体１０内でジャンピングを繰り返し、茶葉の成分を十分にお湯に溶出させ、美味しいお茶を入れることができる。
【００２４】
さらに、この実施例の茶漉し器９は、図３に示すように、上部付近に、注出器具本体２の内部に装着するためのフランジ１１を有している。このフランジ１１はステンレスにて形成されており、網体１０の円筒形状を上部側面にて保形するための環状部と、環状部の上端に一体に形成され水平方向外側に向かって延出した延出部とを備えている。そして、上部開口３の蓋受け用フランジ３ａの上面にこの延出部を載置することで、注出器具本体２の内部に茶漉し器９が装着されるように構成されている。
【００２５】
（具体的実施例）
側面視で注出管の注ぎ口を構成する周縁部と水平方向が形成する角度αが４０〜５５°の範囲内となるように周縁部が構成された以外は、液体注出用器具１と同様の形態の液体注出用器具（実施例１〜１６）を作製した。
【００２６】
（比較例）
側面視で注出管の注ぎ口を構成する周縁部と水平方向が形成する角度αが５６〜５８°の範囲内となるように周縁部が構成された以外は、実施例１〜１６と同様の形態の液体注出用器具（比較例１〜３）を作製した。
【００２７】
（試験）
実施例１〜１６および比較例１〜３について、同量の水をそれぞれ注出器具本体内に注入し、ほぼ同様にして注出管の注ぎ口から水の注出を各１０回ずつ行った。
【００２８】
【表１】
0003187840.tif 000003
【００２９】
（試験結果）
上記表１に示すように、実施例１〜１６についてはいずれも液だれが発生しなかったのに対して、比較例１〜３については若干の液だれが見受けられた。
【符号の説明】
【００３０】
１    液体注出用器具
２    注出器具本体
３    上部開口
３ａ  蓋受け用フランジ
４    蓋体
４ａ  摘み
４ｂ  通気孔
５    先端部
６    注ぎ口
７    注出管
８    周縁部
９    茶漉し器
１０  網体
１１  フランジ
１２  把手部
【図１】
0003187840.tif 000004
【図２】
0003187840.tif 000005
【図３】
0003187840.tif 000006